(57)【要約】【課題】長年の使用によってもガタが発生し難く、また、骨材への固定に要する部品点数を低減させることができると共に固定作業を容易にすることができ、更に、結露水を処理することができるシーと止用条材を提供する。【解決手段】シート止用条材１は溝部２を備えており、溝部２の両側部上縁から上壁部３，３が、溝部２の開口から離隔する方向へ延設してある。両上壁部３，３の縁部からは、溝部２底部の直交軸と平行をなす側壁部４，４が、溝部２の両隅部から距離を隔てて、溝部２の底部より適宜寸法だけ延長させた様態で延設してある。この両側壁部４，４の下縁から取付け壁部５，５が外側へ向かって延設してあり、両取付け壁部５，５の縁部はそれぞれ起立させてある。【選択図】図３
2005295804.tif 000002
【特許請求の範囲】
【請求項１】
帯状の底部の両側縁にそれぞれ側部を立設してなる溝部を備え、この溝部内にシートの一部を挿入させて当該シートを止めるシート止用条材において、
前記両側部の溝部開口に臨む両縁からそれぞれ側壁部が、前記底部から適宜長だけ突出するように延設してあり、両側壁部の延設方向の縁からそれぞれ取付け壁部が、両側壁部間の外側へ延設してあることを特徴とするシート止用条材。
【請求項２】
前記両側壁部は端面視が略ハ字形にしてある請求項１記載のシート止用条材。
【請求項３】
帯状の底部の両側縁にそれぞれ側部を立設してなる溝部を備え、この溝部内にシートの一部を挿入させて当該シートを止めるシート止用条材において、
前記両側部の底縁からそれぞれ側壁部が、前記底部から適宜長だけ突出するように延設してあり、両側壁部の延設方向の縁からそれぞれ取付け壁部が、両側壁部間の外側へ延設してあることを特徴とするシート止用条材。
【請求項４】
前記両側壁部の間の寸法は、前記両側部の間の寸法より大きくしてある請求項３記載のシート止用条材。
【請求項５】
前記取付け壁部の幅方向の適宜位置に、この取付け壁部を固定すべく取付け壁部を貫通させる固定部材の鋭尖端部を嵌入させる凹部が設けてある請求項１から４のいずれかに記載のシート止用条材。
【請求項６】
前記取付け壁部には弾性を有する凸部が設けてあり、少なくとも、この凸部と前記側壁部との間に通水路が設けてある請求項１から５のいずれかに記載のシート止用条材。
【請求項７】
前記凸部は、端面視が台形状をなしており、前記溝部の長手方向へ延設してある請求項６記載のシート止用条材。
【請求項８】
前記取付け壁部は、延設方向の縁を起立させてあり、この起立させた部分とその部分に対向する前記側壁との間を所要寸法にしてある請求項１から７のいずれかに記載のシート止用条材。
【発明の詳細な説明】
【技術分野】
【０００１】
本発明は、複数の骨材間に合成樹脂製のシートを展張してなる、所謂ビニルハウスにおいて、前記シートを止めるシート止用条材に関する。
【背景技術】
【０００２】
複数の骨材間に合成樹脂製のシートを展張してなる、所謂ビニルハウスにあっては、骨材間にシート止用条材を架設しておき、このシート止用条材にシートの一部を係止するようにしてある。
【０００３】
図７は、従来のシート止用条材にシートを係止した状態を示す斜視図であり、図中、４１はシート止用条材、Ｓは、合成樹脂製のシートである。図４に示した如く、シート止用条材４１は、端面視が縦断三角フラスコ底部形状をしており、両側部の上縁部はそれぞれ外側へ丸め加工してある。そして、シート止用条材４１内にシートＳの一部を挿入させた後、その上から、面内交互台形波形状のスプリング３０をシート止用条材４１内に嵌入させることによって、シートＳの一部をシート止用条材４１に係止させてある。
【０００４】
しかし、このようなシート止用条材４１にあっては、シート止用条材４１の長手方向へ向かう中心軸周りの捩れ力、及び長手方向と交わる方向への曲げ力に抗する材料強度が低いため、シート止用条材４１が変形し易いという問題があった。そのため、後記する特許文献１には次のようなシート止用条材が開示されている。
【０００５】
図８は、特許文献１に開示されたシート止用条材を示す端面図である。図８に示した如く、シート止用条材５１は、端面視が縦断やかん底部形状の溝部５２を備えており、該溝部５２の外へ凸状に彎曲した両側部の上縁からそれぞれ上壁部５３，５３が、溝部５２の底部側へ少し傾斜しつつ、溝部５２の開口から離隔する方向へ延設してあり、両上壁部５３，５３の縁部からそれぞれ、溝部５２底部の直交軸と平行をなす側壁部５４，５４が、前記溝部５２の両隅部から距離を隔てて、溝部５２の底部より適宜寸法だけ延長させた様態で延設してある。この両側壁部５４，５４の下縁からそれぞれ内側へ向かって、溝部５２の底部と平行をなす取付け壁部５５，５５が延設してあり、両取付け壁部５５，５５の縁部は溝部５２の底部へ向かってそれぞれ起立させてある。
【０００６】
このようなシート止用条材５１は、一方の上壁部５３、側壁部５４及び取付け壁部５５によって端面視が略コ字形の部分が形成され、他方の上壁部５３、側壁部５４及び取付け壁部５５によって前記部分と鏡像をなす形状の部分が形成されており、両コ字形の部分の開口内に前記溝部５２の両隅部がそれぞれ挿入された様態になっているため、シート止用条材５１の長手方向へ向かう中心軸周りの捩れ力、及び長手方向と交わる方向への曲げ力に抗する材料強度が高く、シート止用条材５１が変形し難い。
【特許文献１】特開２００２−２７８４１号公報
【発明の開示】
【発明が解決しようとする課題】
【０００７】
しかしながら、このような従来のシート止用条材５１にあっては、次のような問題があった。すなわち、シート止用条材５１を骨材に固定するには、両取付け壁部５５，５５の長手方向の適宜位置に貫通孔を開設しておき、かかる貫通孔及び骨材に開設された孔を貫通させたボルトにナットを羅合させることによって行うが、シート止用条材５１の骨材への固定点となる両取付け壁部５５，５５間の距離が狭いため、シート止用条材５１の長手方向への中心軸周りの回動力に抗する固着力が比較的低く、長年の使用によってシート止用条材５１にガタが発生し易かった。また、両取付け壁部５５，５５は平坦であるため、ボルトと取付け壁部５５，５５との間にスプリングワッシャーを介装させる必要があり、シート止用条材５１の骨材への固定に要する部品点数が多く、また、固定作業が煩雑であった。更に、係止したシートの内面に生じた結露水が当該シートを伝ってシート止用条材５１へ流下するが、従来のシート止用条材５１では、かかる結露水を処理することができないため、シート止用条材５１からハウス内へ結露水が滴下し、当該ハウス内で栽培されている植物体に罹病といった悪影響を与えていた。
【０００８】
本発明は斯かる事情に鑑みてなされたものであって、長年の使用によってもガタが発生し難く、また、骨材への固定に要する部品点数を低減させることができると共に固定作業を容易にすることができ、更に、結露水を処理することができるシート止用条材を提供する。
【課題を解決するための手段】
【０００９】
請求項１記載の本発明は、帯状の底部の両側縁にそれぞれ側部を立設してなる溝部を備え、この溝部内にシートの一部を挿入させて当該シートを止めるシート止用条材において、前記両側部の溝部開口に臨む両縁からそれぞれ側壁部が、前記底部から適宜長だけ突出するように延設してあり、両側壁部の延設方向の縁からそれぞれ取付け壁部が、両側壁部間の外側へ延設してあることを特徴とする。
【００１０】
請求項２記載の本発明は、前記両側壁部は端面視が略ハ字形にしてあることを特徴とする。
【００１１】
請求項３記載の本発明は、帯状の底部の両側縁にそれぞれ側部を立設してなる溝部を備え、この溝部内にシートの一部を挿入させて当該シートを止めるシート止用条材において、前記両側部の底縁からそれぞれ側壁部が、前記底部から適宜長だけ突出するように延設してあり、両側壁部の延設方向の縁からそれぞれ取付け壁部が、両側壁部間の外側へ延設してあることを特徴とする。
【００１２】
請求項４記載の本発明は、前記両側壁部の間の寸法は、前記両側部の間の寸法より大きくしてあることを特徴とする。
【００１３】
請求項５記載の本発明は、前記取付け壁部の幅方向の適宜位置に、この取付け壁部を固定すべく取付け壁部を貫通させる固定部材の鋭尖端部を嵌入させる凹部が設けてあることを特徴とする。
【００１４】
請求項６記載の本発明は、前記取付け壁部には弾性を有する凸部が設けてあり、少なくとも、この凸部と前記側壁部との間に通水路が設けてあることを特徴とする。
【００１５】
請求項７記載の本発明は、前記凸部は、端面視が台形状をなしており、前記溝部の長手方向へ延設してあることを特徴とする。
【００１６】
請求項８記載の本発明は、前記取付け壁部は、延設方向の縁を起立させてあり、この起立させた部分とその部分に対向する前記側壁との間を所要寸法にしてあることを特徴とする。
【発明の効果】
【００１７】
請求項１記載の本発明では、帯状の底部の両側縁にそれぞれ側部を立設してなる溝部を備え、この溝部内にシートの一部を挿入させて当該シートを止めるシート止用条材において、前記両側部の溝部開口に臨む両縁からそれぞれ側壁部が、前記底部から適宜長だけ突出するように延設してあり、両側壁部の延設方向の縁からそれぞれ取付け壁部が、両側壁部間の外側へ延設してあるため、両取付け壁部間の距離が長く、シート止用条材の長手方向への中心軸周りの回動力に抗する固着力が高く、長年の使用によってシート止用条材にガタが発生し難い。また、両側壁部及び取付け壁部によって、略Ｌ字形の部分が形成され、この部分に、溝部に一部が係止されたシートを伝って流下した結露水が流入して露受部として作用する。
【００１８】
請求項２記載の本発明では、両側壁部は端面視が略ハ字形、即ち、両側壁部の間の寸法を側壁部の延出方向の縁に向かうに従って広くなるようにしてあるため、複数のシート止用条材を重積させる場合、一のシート止用条材の両側壁部の間に、他のシート止用条材の溝部を内嵌させることができる。これによって、複数のシート止用条材を安定的に重積させることができ、保管及び搬送に要するスペースを狭くすることができる。
【００１９】
請求項３記載の本発明では、帯状の底部の両側縁にそれぞれ側部を立設してなる溝部を備え、この溝部内にシートの一部を挿入させて当該シートを止めるシート止用条材において、前記両側部の底縁からそれぞれ側壁部が、前記底部から適宜長だけ突出するように延設してあり、両側壁部の延設方向の縁からそれぞれ取付け壁部が、両側壁部間の外側へ延設してあるため、シート止用条材を押し出し成形によって製造することができる。一方、前同様、両取付け壁部間の距離が長く、シート止用条材の長手方向への中心軸周りの回動力に抗する固着力が高く、長年の使用によってシート止用条材にガタが発生し難い。また、両側壁部及び取付け壁部によって、略Ｌ字形の部分が形成され、この部分に、溝部に一部が係止されたシートを伝って流下した結露水が流入して露受部として作用する。
【００２０】
請求項４記載の本発明では、両側壁部の間の寸法は、前記両側部の間の寸法より大きくしてあるため、複数のシート止用条材を重積させる場合、一のシート止用条材の両側壁部の間に、他のシート止用条材の溝部を内嵌させることができる。これによって、複数のシート止用条材を安定的に重積させることができ、保管及び搬送に要するスペースを狭くすることができる。
【００２１】
請求項５記載の本発明では、取付け壁部の幅方向の適宜位置に、この取付け壁部を固定すべく取付け壁部を貫通させる固定部材の鋭尖端部を嵌入させる凹部が設けてあるため、固定部材たるビス等によってシート止用条材を骨材等に固定する場合、ビスの鋭尖端部を取付け壁部の凹部に嵌入させた状態でビスを回動させることができ、これによって、取付け壁部の面内でビスが滑動することが防止され、固定作業をスムーズに行うことができると共に、固定位置に対するビスの位置ズレを防止することができる。
【００２２】
請求項６記載の本発明では、前記取付け壁部には弾性を有する凸部が設けてあり、少なくとも、この凸部と前記側壁部との間に通水路が設けてあるため、この凸部にボルトを貫通させてシート止用条材を骨材に固定することができ、このとき、凸部が弾性を有するため、スプリングワッシャーを用いることなく、ボルト止めすることができる。また、凸部と側壁部との間に通水路が設けてあるため、シート止用条材に流入した結露水の移動を塞ぎ止めることが回避され、結露水の落下を防止することができる。
【００２３】
請求項７記載の本発明では、凸部は、端面視が台形状をなしているため、取付け壁部の構造強度を低下させることなく、弾性を付与することができ、また、凸部は、溝部の長手方向へ延設してあるため、この凸部の長手方向の適宜位置にボルト又はビスを貫通させて、シート止用条材を骨材に固定することができる。
【００２４】
請求項８記載の本発明では、前記取付け壁部は、延設方向の縁を起立させてあり、この起立させた部分とその部分に対向する前記側壁との間を所要寸法にしてあるため、取付け壁部の構造上の強度が高いのに加え、取付け壁部の起立させた部分と前記側壁との間の寸法を、例えば、ボルトの頭部の外径に応じた寸法に設定しておくことによって、起立させた部分と側壁との間にボルトの頭部を嵌合させた場合に当該ボルトの頭部の回動が防止されるため、取付け壁部を貫通させたボルトにナットを羅合させてシート止用条材を固定する作業を容易に行うことができる。
【発明を実施するための最良の形態】
【００２５】
本実施の形態に係るシート止用条材は、帯状の底部の両側縁にそれぞれ側部を立設してなる溝部を備え、この溝部内にシートの一部を挿入させて当該シートを止めるようにしてあるが、前記両側部の溝部開口に臨む両縁からそれぞれ側壁部が、前記底部から適宜長だけ突出するように延設してあり、両側壁部の延設方向の縁からそれぞれ取付け壁部が、両側壁部間の外側へ延設してある。この側壁部と取付け壁部とがなす角度は、シート止用条材を固定する骨材に応じて定めればよいが、通常、略９０度にしてある。
【００２６】
前述した両側壁部は、端面視が略ハ字形、即ち、両側壁部の間の寸法を側壁部の延出方向の縁に向かうに従って広くなるようにしてある。これによって、複数のシート止用条材を安定的に重積させることができる。
【００２７】
一方、押し出し成形による場合、シート止用条材は、前記両側部の底縁からそれぞれ側壁部が、前記底部から適宜長だけ突出するように延設してあり、両側壁部の延設方向の縁からそれぞれ取付け壁部が、両側壁部間の外側へ延設してある構成になす。
【００２８】
そして、これら両側壁部の間の寸法は、前記両側部の間の寸法より大きく、好ましくは両側部の底縁間の寸法、即ち、前述した溝部の底部の幅寸法より大きくしてある。これによって、押し出し成形による複数のシート止用条材を安定的に重積させることができる。
【００２９】
ところで、前述した取付け壁部の幅方向の適宜位置に、この取付け壁部を固定すべく取付け壁部を貫通させる螺子部材又は釘状部材といった固定部材の鋭尖端部を嵌入させる凹部が設けてある。
【００３０】
また、取付け壁部には弾性を有する凸部が設けてあり、少なくとも、この凸部と前記側壁部との間に通水路が設けてある。
【００３１】
ところで、前述した凸部は、端面視が台形状をなしており、溝部の長手方向へ延設してある。
【００３２】
また、取付け壁部は、延設方向の縁を起立させてあり、この起立させた部分とその部分に対向する側壁との間を所要寸法にしてある。具体的には、取付け壁部の起立させた部分と側壁との間の寸法を、シート止用条材の固定に用いるボルトの頭部の外径に応じた寸法、即ちボルトの頭部が内嵌する寸法に設定しておく。これによって、ボルト及びナットを用いてシート止用条材を骨材等に固定する場合、ボルトの頭部の回転が防止され、固定作業を容易に行うことができる。
【００３３】
以下、本発明の実施例を図面に基づいて詳述する。
【実施例１】
【００３４】
図１は、本発明に係るシート止用条材の端面図であり、図２は、図１に示したシート止用条材の一部省略平面図である。両図に示した如く、シート止用条材１は、例えば端面視が縦断三角フラスコ形状の溝部２を備えており、溝部２の両側部上縁からそれぞれ、溝部２の底部と平行をなす上壁部３，３が、溝部２の開口から離隔する方向へ延設してある。従って、前記溝部２の両側部は、端面視が略ハ字形になっている。また、両上壁部３，３の縁部からはそれぞれ、溝部２底部の直交軸と平行をなす側壁部４，４が、前記溝部２の両隅部から距離を隔てて、溝部２の底部より適宜寸法だけ延長させた様態で延設してある。なお、溝部２の形状は縦断三角フラスコ形状に限らず種々の形状であってよいことはいうまでもない。
【００３５】
この両側壁部４，４の下縁からそれぞれ取付け壁部５，５が、両側壁部４，４の間たる内側とは逆の外側へ向かって延設してあり、両側壁部４，４及び取付け壁部５，５によって、露受部９，９が形成されている。両取付け壁部５，５の縁部はそれぞれ起立させてあり、これによって取付け壁部５，５の捩れ力及び曲げ力に抗する構造上の強度を向上させてある。
【００３６】
前述した両取付け壁部５，５の幅方向の略中央には、端面視が台形状に成形してなり、弾性を有する凸状部６，６が、長手方向の全領域に亘って設けてあり、該凸状部６，６の両側の部分は、結露水が通流し得る通水路７，７、７，７になしてある。また、凸状部６，６の長手方向の適宜位置（図２に示した例では、シート止用条材１の両端近傍）には、複数の貫通孔８，８、８，８が開設してあり、各貫通孔８，８、８，８を挿通させたボルトにナットを羅合させることによって、シート止用条材１を固定するようにしてある。
【００３７】
このとき、ボルトは凸状部６，６に当接することになり、この凸状部６，６は前述した如く弾性を有するため、ボルトと凸状部６，６との間にスプリングワッシャーを介装させることなく、ボルトに前記ナットを羅合させ、両者を締め付けることができる。また、前述した貫通孔８，８、８，８は、側壁部４，４の下縁から外側へそれぞれ延設した取付け壁部５，５に設けてあるため、対をなす固定点間の距離が長く、シート止用条材１の長手方向への中心軸周りの回動力に抗する固着力が高く、長年の使用によってシート止用条材１にガタが発生し難い。
【００３８】
一方、取付け壁部５，５の起立させた部分と、この部分に対向する側壁部４，４との間の寸法はそれぞれ、前記ボルトの頭部の外径に応じた寸法にしてある。これによって、前記起立させた部分と側壁部４との間に、ボルトの頭部を嵌合させることによって、ボルトの頭部の回動が防止され、ボルトにナットを羅合させる作業を容易に行うことができる。
【００３９】
なお、本実施例では、凸状部６，６に開設した貫通孔８，８、８，８にボルトを挿通させてシート止用条材１を固定するようにしてあるが、本発明はこれに限らず、前記貫通孔８，８、８，８を挿通させたビスによってシート止用条材１を固定するようにしてもよい。なお、貫通孔８の数は４つに限らないことはいうまでもなく、また、貫通孔８は予め形成しておかなくてもよい。この場合、シート止用条材１を固定させる際に、凸状部６，６の適宜位置に貫通孔を開設するようにしてもよいし、貫通孔を開設することなく、ビスを凸状部６，６に、そこを貫通するように螺入させてもよい。
【００４０】
図３は、図１及び図２に示したシート止用条材の使用様態を示す部分斜視図であり、図中、１は図１及び図２に示したシート止用条材、Ｓはシート、１０は後述する露受器である。なお、図中、図１及び図２に示した部分に対応する部分には同じ番号を付してその説明を省略する。
【００４１】
図３に示した如く、シート止用条材１の溝部２にシートＳの一部が挿入してあり、その上から、面内交互台形波形状のスプリング３０を溝部２内に嵌入させることによって、シートＳの一部をシート止用条材１に係止させてある。
【００４２】
このシート止用条材１は、ハウスの骨材に固定した取付け金具（共に図示せず）及びシート止用条材１の貫通孔８（８）（図２参照）を貫通させたボルト２２（２２）にナット２１（２１）を羅合させて、それらを締め付けることによって固定してある。このとき、前述した如く、取付け壁部５，５の縁の起立させた部分と、この部分に対向する側壁部４，４との間に、ボルト２２，２２の頭部が嵌合されてボルト２２，２２の頭部の回動が防止されるため、ボルト２２（２２）とナット２１（２１）とを締め付ける作業を容易に行うことができる。
【００４３】
このようなシート止用条材１の長手方向の適宜位置に露受器１０が、シート止用条材１の取付け壁部５，５を挟持する様態で取付けてある。露受器１０は、排水口１４を設けてなる箱状の本体１１内に、前記取付け壁部５，５を挟持する２対の挟持柱１２，１２、１２（１２）が互いに距離を隔てて突設してあり、対をなす挟持柱１２，１２、１２（１２）の上部対向部分には、取付け壁部５，５の起立させた部分を嵌合させるコ字状の嵌合部１３，１３、１３（１３）がそれぞれ設けてある。
【００４４】
前述したシート止用条材１にあっては、シートＳの内面を流下した結露水が上壁部３と側壁部４との角部を伝って、側壁部４と取付け壁部５とがなす露受部９に流入する。取付けの際にシート止用条材１の長手方向の任意位置には、他の部分より相対的に低い高さ位置の部分が生じるが、露受部９に流入した結露水はその低位部分に移動し、当該低位部分の露受部９の容量を越えた場合、露受部９から外へ落下する。そこで、この低位部分に前述した露受器１０を取付けておくことによって、低位部分の露受部９に集まった結露水は、露受器１０の挟持柱１２，１２、１２（１２）を伝って本体１１内へ導かれ、排水口１４に連結した排水ホース（図示せず）によってハウス外へ排出される。また、仮に、低位部分の露受部９から結露水が落下した場合であっても、当該結露水は露受器１０の本体１１内へ落下し、前同様、ハウス外へ排出される。
【実施例２】
【００４５】
図４は、実施例２に係るシート止用条材を示す端面図であり、複数のシート止用条材を重積することができるようにしてある。なお、図中、前述した図１に示した部分に対応する部分には同じ番号を付して、その説明を省略する。
【００４６】
図４に示した如く、シート止用条材１ｂの両側壁部４，４の間の寸法は、上壁部３，３から側壁部４，４の延設方向へ向かって漸次広くしてあり、従って両側壁部４，４は、端面視が略ハ字形をしている。すなわち、両側壁部４，４の延設方向の縁部の間の寸法は、一方の上壁部３の外側縁と他方の上壁部３の外側縁との間の寸法より適宜寸法だけ広くなっている。
【００４７】
そのため、図５に示した如く、下段のシート止用条材１ｂの両上壁部３，３及び溝部２の部分を、上段のシート止用条材１ｂの両側壁部４，４の間に嵌入させる操作を繰り返すことによって、複数のシート止用条材１ｂ，１ｂ，…を安定して重積させることができる。これによって、シート止用条材１ｂ，１ｂ，…の保管及び搬送に要するスペースを狭くすることができる。
【００４８】
一方、前述した両凸状部６，６の表面であって幅方向の略中央には、部分拡大図Ａで示した如く、半円溝状の凹部６ａ，６ａがそれぞれ凸状部６，６の長手方向の適宜領域に亘って設けてある。このようなシート止用条材１ｂにあっては、前記凹部６ａ，６ａの長手方向の適宜位置にそれぞれ固定部材たるビスの鋭尖端部を嵌入させ、各ビスを両凸状部６，６を貫通するように螺入させることによって、シート止用条材を骨材等に固定する。
【００４９】
このように、固定部材たるビスによってシート止用条材を骨材に固定する場合、ビスの鋭尖端部を凹部６ａ，６ａに嵌入させた状態でビスを回動させることができ、これによって、凸状部６，６の表面上でビスが滑動することが防止され、シート止用条材１ｂの固定作業をスムーズに行うことができると共に、骨材の固定位置に対するビスの位置ズレを防止することができる。
【００５０】
なお、本実施例では、凹部６ａは、凸状部６の長手方向の適宜領域に亘って設けてあるが、本発明はこれに限らず、凸状部６の長手方向の複数の位置に、穴状の凹部をそれぞれ設けてもよい。
【実施例３】
【００５１】
図６は、実施例３に係るシート止用条材を示す端面図であり、押出し成形によって形成してある。図６に示した如く、本実施例に係るシート止用条材１ｃは、端面視が略Ｈ形をなし、Ｈ形の上側両枝部をハ字形状に成形して溝部２ａの側部２ｂ，２ｂが形成してある。また、前記Ｈ形の下側両枝部は、当該両枝部の間の寸法を枝部の端へ向かうに従って僅かに広くして側壁部４ａ，４ａにしてある。この両側壁部４ａ，４ａの間の寸法は、前記溝部２ａの底部２ｃの幅寸法より大きくしてあり、これによって、下段のシート止用部材１ｃの溝部２ａを、上段のシート止用部材１ｃの両側壁部４ａ，４ａの間に嵌入させ得るようになっている。
【００５２】
また、前同様、両側壁部４ａ，４ａの下縁からそれぞれ取付け壁部５，５が、両側壁部４ａ，４ａの間たる内側とは逆の外側へ向かって延設してあり、両側壁部４ａ，４ａ及び取付け壁部５，５によって、露受部９，９が形成されている。両取付け壁部５，５の縁部はそれぞれ起立させてあり、これによって取付け壁部５，５の捩れ力及び曲げ力に抗する構造上の強度を向上させると共に、取付け壁部５，５の起立させた部分と、この部分に対向する側壁部４，４との間にナットを嵌合させることによって、ナットの回動を防止するようにしてある。
【００５３】
前述した取付け壁部５，５の幅方向の略中央には、端面視が台形状に成形してなり、弾性を有する凸状部６，６が、長手方向の全領域に亘って設けてあり、該凸状部６，６の両側の部分は、結露水が通流し得る通水路７，７、７，７になしてある。また、凸状部６，６の長手方向の適宜位置に複数の貫通孔８，８が開設してある。そして、両凸状部６，６の表面であって幅方向の略中央に、前同様、半円溝状の凹部６ａ，６ａがそれぞれ凸状部６，６の長手方向の適宜領域に亘って設けてある。
【００５４】
これによって、固定部材たるビスによってシート止用条材１ｃを骨材に固定する場合、ビスの鋭尖端部を凹部６ａ，６ａに嵌入させた状態でビスを回動させることができ、これによって、凸状部６，６の表面上でビスが滑動することが防止され、シート止用条材１ｃの固定作業をスムーズに行うことができると共に、骨材の固定位置に対するビスの位置ズレを防止することができる。
【図面の簡単な説明】
【００５５】
【図１】本発明に係るシート止用条材の端面図である。
【図２】図１に示したシート止用条材の一部省略平面図である。
【図３】図１及び図２に示したシート止用条材の使用様態を示す部分斜視図である。
【図４】実施例２に係るシート止用条材を示す端面図である。
【図５】図４に示した複数のシート止用条材の保管状態を説明する説明図である。
【図６】実施例３に係るシート止用条材を示す端面図である。
【図７】従来のシート止用条材にシートを係止した状態を示す斜視図である。
【図８】従来の他のシート止用条材を示す端面図である。
【符号の説明】
【００５６】
１    シート止用条材
２    溝部
３    上壁部
４    側壁部
５    取付け壁部
６    凸状部
６ａ  凹部
７    通水路
８    貫通孔
９    露受部
１０    露受器
２１    ナット
２２    ボルト
３０    スプリング
Ｓ    シート
【図１】
2005295804.tif 000003
【図２】
2005295804.tif 000004
【図３】
2005295804.tif 000005
【図４】
2005295804.tif 000006
【図５】
2005295804.tif 000007
【図６】
2005295804.tif 000008
【図７】
2005295804.tif 000009
【図８】
2005295804.tif 000010